(57)【要約】【課題】  蒸気温熱具を収容した状態で、該蒸気温熱具からの水蒸気の発生を円滑に行い得る身体装着用具を提供すること。【解決手段】  本発明の身体装着用具は、所定温度に加熱された水蒸気の発生が可能な蒸気温熱具の収容部を有し、身体の一部に着用されるものである。収容部は、着用者の肌に近い側に位置し且つ水蒸気の透過が可能な内層部と、着用者の肌に遠い側に位置し且つ内層部よりも水蒸気の透過性が低い外層部とを有する。蒸気温熱具は、外層部及び内層部間に保持収容される。身体装着用具は、これを着用した状態において、内層部と着用者の身体との間に、水蒸気の流通が可能な空間が形成されるような形状となっている。【選択図】    図３
2006348437.tif 000002
【特許請求の範囲】
【請求項１】
所定温度に加熱された水蒸気の発生が可能な蒸気温熱具の収容部を有し、身体の一部に着用される身体装着用具であって、
前記収容部は、着用者の肌に近い側に位置し且つ水蒸気の透過が可能な内層部と、着用者の肌に遠い側に位置し且つ該内層部よりも水蒸気の透過性が低い外層部とを有し、前記蒸気温熱具が、該外層部及び該内層部間に保持収容され、
前記身体装着用具は、これを着用した状態において、前記内層部と着用者の身体との間に、水蒸気の流通が可能な空間が形成されるような形状となっている身体装着用具。
【請求項２】
両脚を通して着用するズボンタイプである請求項１記載の身体装着用具。
【請求項３】
着用者の大腿部、膝部及び下腿部のうちの少なくとも一カ所に対応する位置に、前記収容部が形成されている請求項１記載の身体装着用具。
【請求項４】
着用者の大腿部、膝部及び下腿部のうちの少なくとも一カ所に対応する位置に、脚の軸に対して対称に一対の前記収容部が形成されている請求項３記載の身体装着用具。
【請求項５】
着用者の大腿部における前大腿部及び後大腿部、膝部における前膝部及び後膝部、又は下腿部における前下腿部及び後下腿部に、前後対称に一対の前記収容部が形成されている請求項４記載の身体装着用具。
【請求項６】
所定温度に加熱された水蒸気の発生が可能な蒸気温熱具と、該蒸気温熱具の収容部を有し且つ身体の一部に着用される身体装着用具と、を備えた身体加温用着用具であって、
前記収容部は、着用者の肌に近い側に位置し且つ水蒸気の透過が可能な内層部と、着用者の肌に遠い側に位置し且つ該内層部よりも水蒸気の透過性が低い外層部とを有し、前記蒸気温熱具が、該外層部及び該内層部間に保持収容され、
前記身体装着用具は、これを着用した状態において、前記内層部と着用者の身体との間に、水蒸気の流通が可能な空間が形成されるような形状となっている身体加温用装着用具。
【発明の詳細な説明】
【技術分野】
【０００１】
本発明は、身体に蒸気温熱を与える蒸気温熱具が収容される身体装着用具に関する。
【背景技術】
【０００２】
身体に温熱を与える温熱体が収容され、身体に着用するタイプの着用具が知られている。例えば、肘、膝、肩、腰等の身体の一部に装着するサポータ本体の所定部位に袋部を設け、その袋部内に温熱体を収納してなる温熱サポータが提案されている（特許文献１参照）。この温熱サポータは、温熱療法の作用とサポータとしての作用を関節の患部に同時に与え、両作用の相乗効果により患部の治療を行えるようにすることを目的としたものである。
【０００３】
また、腕を通して着用するベストタイプの着用具であって、背部に内側部と外側部を挟んで温度保有媒体を収納する収納部を設けたものが提案されている（特許文献２参照）。この着用具では、収納部の内側部を通気性の高い通気材を用いて形成し、収納部の外側部を前記通気材より保温性の高い保温材を用いて形成している。この着用具は、背中に温熱体が当たる不快感を解消することを目的としている。
【０００４】
【特許文献１】実開平７−１３３１４号公報
【特許文献２】特開２００２−３１７３１４号公報
【発明の開示】
【発明が解決しようとする課題】
【０００５】
前記の各着用具は、水蒸気の発生を伴わない温熱体を収容することを目的とするものなので、該着用具は、これを着用した状態において温熱体と身体とが密着して、両者間に空隙が生じないような設計になっている。しかし、水蒸気の発生を伴う蒸気温熱具を収容することは何ら考慮されていない。
【０００６】
従って本発明の目的は、水蒸気の発生を伴う蒸気温熱具の収容に適した身体装着用具を提供することにある。
【課題を解決するための手段】
【０００７】
本発明は、所定温度に加熱された水蒸気の発生が可能な蒸気温熱具の収容部を有し、身体の一部に着用される身体装着用具であって、
前記収容部は、着用者の肌に近い側に位置し且つ水蒸気の透過が可能な内層部と、着用者の肌に遠い側に位置し且つ該内層部よりも水蒸気の透過性が低い外層部とを有し、前記蒸気温熱具が、該外層部及び該内層部間に保持収容され、
前記身体装着用具は、これを着用した状態において、前記内層部と着用者の身体との間に、水蒸気の流通が可能な空間が形成されるような形状となっている身体装着用具を提供することにより前記目的を達成したものである。
【０００８】
また本発明は、所定温度に加熱された水蒸気の発生が可能な蒸気温熱具と、該蒸気温熱具の収容部を有し且つ身体の一部に着用される身体装着用具と、を備えた身体加温用着用具であって、
前記収容部は、着用者の肌に近い側に位置し且つ水蒸気の透過が可能な内層部と、着用者の肌に遠い側に位置し且つ該内層部よりも水蒸気の透過性が低い外層部とを有し、前記蒸気温熱具が、該外層部及び該内層部間に保持収容され、
前記身体装着用具は、これを着用した状態において、前記内層部と着用者の身体との間に、水蒸気の流通が可能な空間が形成されるような形状となっている身体加温用装着用具を提供するものである。
【発明の効果】
【０００９】
本発明によれば、身体装着用具を着用した状態において、蒸気温熱具と身体との間に空間が形成されるので、蒸気温熱具からの水蒸気の発生が円滑に行われる。また前記の空間に水蒸気が充満することで伝熱効率が高くなり、効率的に身体を温めることができる。
【発明を実施するための最良の形態】
【００１０】
以下本発明を、その好ましい実施形態に基づき説明する。本発明の身体装着用具は、身体の一部に着用されるものである。身体装着用具は一般に繊維製品であり、人が日常的に着用する衣類や、特殊な目的で着用する装身具を包含する。衣類には、例えばズボン、ジャケット、ウインドブレーカー、マフラー、シャツ、パンツ、肌着、靴下、帽子等が含まれる。装身具には、例えばサポータ、腹巻き、レッグウオーマー、リストバンド等が含まれる。これらの衣類や装身具は種々の形態であり得るが、それらのうち本発明に包含される形態は、後述するように、着用者の身体に密着する形態以外のものである。後述する実施例においては、身体装着用具の一例としてズボン（トレーニングパンツ）タイプの身体装着用具が挙げられている。
【００１１】
本発明の身体装着用具は、蒸気温熱具の収容部を有している。蒸気温熱具は、所定温度に加熱された水蒸気の発生が可能なものである。蒸気温熱具は、一般に化学エネルギーを利用した発熱によって水蒸気を発生させるものである。例えば被酸化性金属の酸化反応によって生ずる熱を利用して水蒸気を発生させる。図１及び図２には、蒸気温熱具の一例が示されている。以下の説明において、水蒸気の発生を伴う熱を蒸気温熱といい、水蒸気の発生を伴わない熱を乾熱という。
【００１２】
図１及び図２に示す蒸気温熱具１は扁平な矩形状であり、発熱部２及び該発熱部２を収容する収容体３を備えている。収容体３は扁平な袋状のものであり、複数のシート材の周縁を貼り合わせて、内部が空洞の袋状となされている。収容体３は、その一方の側が通気面になっており、該通気面と反対側に位置する面が、該通気面よりも通気性が低い難通気面となっている。「通気面よりも通気性が低い難通気面」とは、（イ）難通気面が通気性を有するが、通気面よりも通気性が低い場合と、（ロ）難通気面が実質的に通気性を有さない場合の双方を包含する。発熱部には、被酸化性金属のほかに水が含まれており、発熱部が酸素と接触して発熱することを利用して、水蒸気を発生させている。水蒸気は、収容体における通気面から外部に放出される。
【００１３】
収容体３は、フィルム３ａとフィルム３ｂとの周縁が互いに接合されて扁平な袋状に形成されている。フィルム３ａは透湿性フィルムである。フィルム３ｂは、フィルム３ａよりも透湿性の低い透湿性フィルムであるか、又は難透湿性フィルムである。つまり収容体３においては、一方の側が他方の側よりも透湿性が高くなっている。フィルム３ａは、発熱部２から発生した水蒸気を通過させる。しかしフィルム３ｂは水蒸気を通過させにくい。つまり水蒸気は収容体３の一方の側、即ちフィルム３ａの側から優先的に多量に外部へ放出される。蒸気温熱具１は、フィルム３ａの側が、水蒸気を施したい対象物である身体と対向するように用いられる。収容体３におけるフィルム３ａの側の透湿度（ＪＩＳ  Ｚ０２０８、４０℃、９０％ＲＨ）は好ましくは２００〜２０００ｇ／ｍ2・２４ｈｒ、更に好ましくは３００〜２０００ｇ／ｍ2・２４ｈｒ、一層好ましくは５００〜１２００ｇ／ｍ2・２４ｈｒである。フィルム３ａ及びフィルム３ｂの外側には、蒸気温熱具１の風合いを高める目的で、風合いの良好なシート材料であるエアスルー不織布等の不織布３ｃ，３ｄが配されている。
【００１４】
本発明者らが検討したところ、蒸気温熱によって腰部や肩を温めると、同温度の乾熱で同じ部位を温めた場合、例えばスチーム発生量の少ない使い捨てカイロで同じ部位を温めた場合に比べて全身の血行が促進され、末梢温度が上昇することが判明した。また加温をやめた後も数十分に亘り温度の上昇が持続することが判明した。この理由を本発明者らが検討したところ、蒸気温熱は熱伝導性が高く、人体の深部の温度を高め得ることが判明した。人体の深部の温度が高くなることで、温熱中枢が刺激され、それによって血管が拡張して血流が増加し、また末梢温度が上昇すると推定される。従って蒸気温熱具１は、これを適用した人体の部位の温度上昇や血行の改善のみならず、体全体の血行の改善や、指先等の末梢温度の上昇、冷え性の改善に効果的である。
【００１５】
更に本発明者らの検討の結果、蒸気温熱具１が身体に密着しすぎると、水蒸気が放出されづらくなる場合があることが判明した。そこで本発明の身体装着用具は、これを着用した状態において、該装着用具と身体との間に、水蒸気の流通が可能な空間が形成されるような形状・寸法に設計されている。
【００１６】
図３には、本発明の身体装着用具の一実施形態が示されている。図３に示す身体装着用具は、両脚を通して着用するズボンタイプのトレーニングパンツ１０に係るものである。トレーニングパンツ１０は、腰回り部１１及び一対の脚部１２を備えている。脚部１２は、着用者の大腿部付け根から踝にわたる範囲を覆う筒状の形状をしている。脚部１２は、着用者の大腿部付け根から膝にわたる範囲を覆う上部脚部１２ａと、膝から踝にわたる範囲を覆う下部脚部１２ｂとから構成される。
【００１７】
脚部１２には、着用者の体側に対応する位置に、長手方向に延びるファスナー１３が取り付けられている。ファスナー１３は、トレーニングパンツ１０の股下部から脚部１２の下端部にわたって取り付けられている。このようにファスナー１３を取り付けることで、脚部１２をたくし上げることなく、着用者の脚を露出させることができる。
【００１８】
図４には、脚部１２のファスナー１３を開けて、脚部１２の内面を露出させた状態が示されている。脚部１２は、前身頃１４及び後身頃１５から構成されている。前身頃１４及び後身頃１５は、それぞれ蒸気温熱具１の収容部１６を有している。収容部１６は、前身頃１４及び後身頃１５それぞれにおける上部脚部１２ａ及び下部脚部１２ｂにそれぞれ１カ所ずつ設けられている。従って、１つの脚部１２に４カ所の収容部１６が設けられていることになる。
【００１９】
収容部１６は、トレーニングパンツ１０を着用したときに、着用者の大腿部及び下腿部に対応する位置に形成されている。詳細には、上部脚部１２ａに設けられている２つの収容部１６は、トレーニングパンツ１０を着用したときに、着用者の大腿部における前大腿部及び後大腿部に対応する位置に位置するように、前後対称に一対形成されている。同様に、下部脚部１２ｂに設けられている２つの収容部１６も、トレーニングパンツ１０を着用したときに、着用者の下腿部における前下腿部及び後下腿部に対応する位置に位置するように、前後対称に一対形成されている。
【００２０】
図５には、図４におけるＶ−Ｖ線断面図が示されている。図５においては、図中、上側がトレーニングパンツ１０の内側を示し、下側がトレーニングパンツ１０の外側を示している。収容部１５は、着用者の肌に近い側に位置する内層部１７と、着用者の肌に遠い側に位置する外層部１８とを有している。内層部１７及び外層部１８はほぼ同形をしている。内層部１７は水蒸気の透過が可能なシート材から構成されている。一方、外層部１８は水蒸気を実質的に透過しないシート材から構成されている。
【００２１】
内層部１７と外層部１８とは縫合線１９に沿って縫合されている。縫合線１９の描く形状は、収容部１６に収容される蒸気温熱具１の寸法よりも大きくなっている。内層部１７と外層部１８とが縫合されることで、両者間に蒸気温熱具１が保持収容される。
【００２２】
収容部１６は、ファスナー１３に沿う縦長の開口部２０（図３及び図４参照）を有している。開口部２０は、内層部１７と外層部１８とが、ファスナー１３に沿う部分において縫合されていないことで形成されている。そして、開口部２０と、先に述べた縫合線１９とで、ポケット状の収容部１６が形成される。開口部は一方の脚部１２に４カ所設けられている。この開口部２０を通じて蒸気温熱具１は収容部１６内に収容される。
【００２３】
蒸気温熱具１を収容部１６内に収容するときには、蒸気温熱具１におけるフィルム３ａの側、即ち透湿性が相対的に高いフィルムの側が、収容部１６における内層部１７の側を向くようにする。これによって蒸気温熱具の発熱部２から発生した水蒸気が、透湿性フィルム３ａ及び内層部１７を透過して、着用者の肌に施される。水蒸気の透過を妨げないようにする観点から、内層部１７は通気度が十分に高いことが好ましい。水蒸気の透過のしやすさを例えば通気度（ＪＩＳ  Ｐ８１１７）で表した場合、内層部１７の通気度（単位：秒）が、測定限界以下の極めて短時間であることが好ましい。そのような通気度を有するシート材としては、例えばメッシュ地などが挙げられる。
【００２４】
一方、収容部１６における外層部１８は、着用者の肌に遠い側に位置し且つ内層部１７よりも水蒸気の透過性が低くなっている。外層部１８は、蒸気温熱具１から発生する蒸気温熱を、外部へ逃がさずに且つ内層部１７を通じて着用者の身体へ適用することで、トレーニングパンツ１０の内部を保温するための働きを有するものである。この観点から、「外層部１８は内層部１７よりも水蒸気の透過性が低い」とは、外層部１８が難透湿性であるか、又は透湿性がある場合であっても、その透湿性は、蒸気温熱具１から発生する蒸気温熱を外部へ逃がさず、トレーニングパンツ１０の内部を十分に保温し得る程度に低いものであることを意味する。外層部１８が難透湿性である場合、該外層部１８は、例えば水蒸気も水も透過させない生地から構成されていることが好ましい。外層部１８が透湿性である場合、該外層部１８は、微量の水蒸気は透過させるが水は実質的に透過させない生地から構成されていることが好ましい。該生地としては、例えばクライマプルーフ（登録商標）、ゴアテックス（登録商標）などが挙げられる。
【００２５】
本実施形態のトレーニングパンツ１０は、これを着用した状態において、内層部１７と着用者の身体との間に、水蒸気の流通が可能な空間が形成されるような形状となっている。水蒸気の流通が可能な空間が形成されるような形状とは、着用者の身体に密着する形状ではないことをいう。トレーニングパンツ１０の脚部１２は、着用者の大腿部及び下腿部に対してゆったりした寸法になっている。これに対して、例えばタイツやサポータのように着用者の身体に密着する着用具は、水蒸気の流通が可能な空間が形成されるような形状にはなっていない。
【００２６】
トレーニングパンツ１０の形状が上述の通りになっていることに起因して、蒸気温熱具１と着用者の身体との間が適度に隔離されて、水蒸気が身体に安定的にされるようになる。トレーニングパンツ１０の内層部１７と着用者の身体との間の空間が小さすぎると、着用者の体圧によっては水蒸気が放出されづらくなる。
【００２７】
以上の構成を有するトレーニングパンツ１０の収容部１６に蒸気温熱具１を収容した状態で該パンツ１０を着用すると、蒸気温熱具１から発生する水蒸気が着用者の肌に施され皮膚の表面温度が上昇する。それのみならず皮膚下の深部温度も上昇する。本実施形態のトレーニングパンツ１０は、種々の用途に使用可能なものであるが、特にスポーツ分野のアスリートがウオーミングアップを行うに際して身体を温める目的で着用するのに好適なものである。とりわけ、体が冷える、脚が冷える、筋肉が冷えるといった冬場の身体の冷えを防止するために有効である。また冬場は、ウオーミングアップに時間がかかる、筋肉がこわばる、関節がこわばる、筋肉や腱の損傷が気になるといった悩みが多いが、本実施形態のトレーニングパンツ１０を着用することで、そういった悩みも解消される。その結果、ウオーミングアップの時間短化・効率化、冬場の身体の冷え防止、血液循環の改善、運動能力の向上、筋肉や腱の故障の予防などの利点が生じる。
【００２８】
特に本実施形態のトレーニングパンツ１０においては、着用者の大腿部における前大腿部及び後大腿部に、前後対称に収容部１６が形成されていると共に、着用者の下腿部における前下腿部及び後下腿部に、前後対称に収容部１６が形成されているので、これらの収容部１６に蒸気温熱具１を収容することで、脚全体を包み込むような心地よい温かさが得られる。しかも着用者の身体には、皮膚下の深部温度を効果的に上昇させ得る蒸気温熱が付与されるので、着用者の脚の筋肉や腱がじんわりと温められ、血行が促進される。従って、筋肉のこりや疲れ、関節や腰の痛み等が効果的に緩和される。
【００２９】
トレーニングパンツ１０の収容部１６に収容される蒸気温熱具１の詳細について説明すると、蒸気温熱具１は、水蒸気発生の持続時間が長いことが特徴の一つになっている。そのような水蒸気発生特性を有する蒸気温熱具１を得るためには、主として被酸化性金属の使用量、発熱前の発熱部２における水分含量、収容体３の通気性部位における透湿度等の値をコントロールすることが重要である。一般の使い捨てカイロは、発熱材料の組成及び収容体の構造が、積極的に水蒸気を発生させるようになっていないため、発熱材料に含まれる水分量は少ない。一方、蒸気温熱具１は、水蒸気を積極的に発生させるものなので、発熱に必要な水分以外に水蒸気の原料となる水分を含んだ組成の発熱材料を有している。水分含量や透湿度等の値が適切にコントロールされた蒸気温熱具１においては、これを人体の皮膚に適用した場合、皮膚表面温度が３８℃以上となる水蒸気の放出が好ましくは２時間以上、更に好ましくは５時間以上維持される。また、発熱部２が空気と接触してから９０分後の水蒸気の積算放出量が好ましくは１．４〜７．０ｍｇ／ｃｍ2、更に好ましくは２．２〜７．０ｍｇ／ｃｍ2となる（以下これを水蒸気放出特性という）。なお皮膚表面温度とは、接触型温度計、例えば熱電対によって測定された皮膚表面の温度をいう。
【００３０】
水蒸気放出特性における水蒸気の積算放出量は次の方法で測定される。温度２０℃、湿度４０％ＲＨとした容積５４０００ｃｍ3（縦３０ｃｍｘ横５０ｃｍｘ奥行き３６ｃｍ）の密閉系内に、その内部に水蒸気が蒸散可能なように蒸気温熱具１を静置して発熱させる。そして、前記密閉系内の空気の湿度を湿度計で測定し、発熱開始後に発生する水蒸気の量を求める。そして９０分後の積算値を積算放出量とする。
【００３１】
蒸気温熱具１における発熱部２は、被酸化性金属、反応促進剤、繊維状物及び電解質を含み且つ含水状態となっている。発熱部２は、被酸化性金属、反応促進剤及び繊維状物を含有する成形シートに、電解質水溶液を含有させて構成されている。本発明者らが検討したところ、これらの各種材料のうち、蒸気温熱具１の水蒸気放出特性に大きく影響する材料は、成形シートに含まれる被酸化性金属、反応促進剤及び繊維状物であることが判明した。詳細には、成形シートに含まれる被酸化性金属の量が好ましくは６０〜９０重量％、更に好ましくは７０〜８５重量％、反応促進剤の量が好ましくは５〜２５重量％、更に好ましくは８〜１５重量％、繊維状物の量が好ましくは５〜３５重量％、更に好ましくは８〜２０重量％であることが重要である。これらの材料の量が前述の範囲にあると、所望の水蒸気放出特性及び温度持続時間が期待できる。なお、後述するように、成形シートは好適には抄造によって得られるため、抄造工程における乾燥工程後の状態で５重量％以下の水分を含有する。
【００３２】
被酸化性金属に対する反応促進剤及び繊維状物それぞれの重量比も蒸気温熱具１の水蒸気放出特性に影響する。具体的には、発熱部２において、被酸化性金属に対する反応促進剤の重量比は、好ましくは０．０８〜０．３であり、更に好ましくは０．０９〜０．２５である。また被酸化性金属に対する繊維状物の重量比は好ましくは０．０８〜０．３であり、更に好ましくは０．０９〜０．２９である。これらの範囲内であれば、皮膚表面温度を３８℃以上に向上させ且つ所望の水蒸気発生量を得ることが容易となる。
【００３３】
蒸気温熱具１の水蒸気放出特性に影響する他の重要な要因としては、発熱部２における電解質水溶液の濃度及び電解質水溶液の添加量が挙げられる。詳細には、発熱部２における電解質水溶液の濃度は好ましくは１〜１５重量％、更に好ましくは２〜１０重量％である。電解質水溶液の濃度がこの範囲であれば、経済的に所望とする温度を得ることができる。また電解質水溶液は、成形シート１００重量部に対して好ましくは３０〜８０重量部、更に好ましくは４０〜７０重量部添加される。この範囲であれば、所望とする温度の持続が達成され且つ水蒸気発生量が得られる。
【００３４】
発熱部２に含まれる各材料の詳細について説明すると、被酸化性金属としては例えば、鉄、アルミニウム、亜鉛、マンガン、マグネシウム、カルシウム等の粉末や繊維が挙げられる。これらの中でも取り扱い性、安全性、製造コストの点から鉄粉が好ましく用いられる。被酸化性金属が粉末である場合その粒径は０．１〜３００μｍであることが、繊維状物への定着性、反応のコントロールが良好なことから好ましい。同様の理由により、粒径が０．１〜１５０μｍものを５０重量％以上含有するものを用いることも好ましい。
【００３５】
反応促進剤としては、水分保持剤として作用する他に、被酸化性金属への酸素保持／供給剤としての機能も有しているものを用いることが好ましい。例えば活性炭（椰子殻炭、木炭粉、暦青炭、泥炭、亜炭）、カーボンブラック、アセチレンブラック、黒鉛、ゼオライト、パーライト、バーミキュライト、シリカ等が挙げられる。これらの中でも保水能、酸素供給能、触媒能を有する点から活性炭が好ましく用いられる。反応促進剤の粒径は０．１〜５００μｍであることが、被酸化性金属と効果的に接触し得る点から好ましい。同様の理由により、０．１〜２００μｍのものを５０重量％以上含有するものを用いることも好ましい。
【００３６】
繊維状物としては、天然又は合成の繊維状物を特に制限無く用いることができる。天然繊維状物としては、例えばコットン、カボック、木材パルプ、非木材パルプ、落花生たんぱく繊維、とうもろこしたんぱく繊維、大豆たんぱく繊維、マンナン繊維、ゴム繊維、麻、マニラ麻、サイザル麻、ニュージーランド麻、羅布麻、椰子、いぐさ、麦わら等の植物繊維が挙げられる。また羊毛、やぎ毛、モヘア、カシミア、アルカパ、アンゴラ、キャメル、ビキューナ、シルク、羽毛、ダウン、フェザー、アルギン繊維、キチン繊維、ガゼイン繊維等の動物繊維が挙げられる。更に、石綿等の鉱物繊維が挙げられる。一方、合成繊維状物としては、例えばレーヨン、ビスコースレーヨン、キュプラ、アセテート、トリアセテート、酸化アセテート、プロミックス、塩化ゴム、塩酸ゴム等の半合成繊維が挙げられる。またナイロン、アラミド、ポリビニルアルコール、ポリ塩化ビニル、ポリ塩化ビニリデン、ポリエチレンテレフタレート等のポリエステル、ポリアクリロニトリル、アクリル、ポリエチレン、ポリプロピレン、ポリスチレン、ポリウレタン等の合成高分子繊維が挙げられる。更に金属繊維、炭素繊維、ガラス繊維等を用いることもできる。また、これらの繊維の回収再利用品を用いることもできる。これらの中でも、被酸化性金属や反応促進剤との定着性、発熱部２の柔軟性、酸素透過性、製造コスト等の点から、木材パルプ、コットン、ポリエステルが好ましく用いられる。繊維状物はその平均繊維長が０．１〜５０ｍｍ、特に０．２〜２０ｍｍであることが、発熱部２の強度確保及び繊維状物の水分散性の点から好ましい。
【００３７】
電解質としては、例えばアルカリ金属、アルカリ土類金属又は遷移金属の硫酸塩、又はハロゲン化物等が挙げられる。これらの中でも、化学的安定性、生産コストに優れる点からアルカリ金属、アルカリ土類金属又は遷移金属の塩化物が好ましく用いられ、特に塩化ナトリウム、塩化カリウム、塩化カルシウム、塩化マグネシウム、塩化第一鉄、塩化第二鉄が好ましく用いられる。
【００３８】
発熱部２には、必要に応じ凝集剤、サイズ剤、着色剤、紙力増強剤、歩留向上剤、填料、増粘剤、ｐＨコントロール剤、嵩高剤等、抄紙の際に通常用いられる添加物を特に制限無く添加することもできる。
【００３９】
発熱部２の製造方法に特に制限はない。発熱部は、被酸化性金属、反応促進剤及び繊維状物を含有する成形シートに、電解質水溶液を含有させてなるものであるから、先ず被酸化性金属、反応促進剤及び繊維状物を含む成形シートを形成し、この成形シートに電解質水溶液を添加することでシート状の発熱部が得られる。成形シートの製造には例えば本出願人の先の出願に係る特開２００３−１０２７６１号公報に記載の湿式抄造法や、ダイコーターを用いたエクストルージョン法を用いることができる。特に、製造コストや生産性の点から湿式抄造法を用いることが好ましい。湿式抄造法を行う場合には、円網抄紙機、長網抄紙機、短網抄紙機、ツインワイヤー抄紙機などを用いることができる。抄造に用いられるスラリーは、被酸化性金属、反応促進剤、繊維状物及び水を含むものであり、その濃度は、０．０５〜１０重量％、特に０．１〜２重量％であることが好ましい。
【００４０】
このようにして得られた成形シート（つまり含水前の状態の発熱部２）はその１枚の厚みが０．１ｍｍ〜２ｍｍ、特に０．１５〜１．５ｍｍであることが、成形シートの機械的強度を維持しつつ成形シートが柔軟になり、蒸気温熱具１が身体の適用部位へフィットしやすくなる点から好ましい。同様の理由により成形シートは、その坪量が１０〜１０００ｇ／ｍ2であることが好ましく、５０〜６００ｇ／ｍ2であることがより好ましく、１００〜５００ｇ／ｍ2であることが更に好ましい。
【００４１】
成形シートは、そのままの状態で複数枚を重ねて使用してもよく、或いは１枚のシートを折りたたみ、折り畳まれた複数枚の成形シートを重ねて使用してもよい。この場合、蒸気温熱具１の使用中にシート間の位置ズレが起こることを防止するために、各シートをエンボス加工によって一体化することが好ましい。またシートに、前述の孔や切り込みを施すことによっても位置ズレが起こることを防止できる。
【００４２】
このようにして得られた成形シートに電解質水溶液を含有させてシート状の発熱部２を得る。この工程は、窒素、アルゴン等の不活性ガス雰囲気下で行うことが好ましい。電解質水溶液を含有させるには例えば、ノズルから直接吐き出しによる方法やスプレー塗工法、刷毛等で塗工する方法、電解質水溶液に浸漬する方法、グラビアコート法、リバースコート法、ドクターブレード法等が挙げられる。電解質水溶液における電解質の濃度及び電解質の水溶液の付与量は、得られる発熱部２における電解質の量及び水の含有量が、先に述べた範囲となるように調整される。
【００４３】
以上、本発明をその好ましい実施形態に基づき説明したが、本発明は前記実施形態に制限されない。例えば前記実施形態においては、着用者の大腿部及び下腿部に対応する位置に収容部１６を設け、そこに蒸気温熱具１を収容したが、これに代えて、大腿部又は下腿部の何れかに対応する位置にのみ収容部１６を設けてもよい。また、図６に示すように、大腿部と下腿部の間の膝部にも収容部１６を設けてもよい。つまり、収容部１６は、大腿部、膝部及び下腿部の三カ所に設けることができる。或いはこれら三カ所のうちの少なくとも一カ所に対応する位置に収容部を設けてもよい。
【００４４】
また前記実施形態においては、着用者の大腿部における前大腿部及び後大腿部、並びに下腿部における前下腿部及び後下腿部に対応する位置に収容部１６を設け、そこに蒸気温熱具１を収容したが、これに代えて、前大腿部又は後大腿部の何れかに対応する位置にのみ収容部１６を設けるか、或いは前下腿部又は後下腿部の何れかに対応する位置にのみ収容部１６を設けてもよい。膝部にも収容部を設ける場合には、前膝部（膝蓋部）及び後膝部（膝窩）の何れか一方にのみ収容部を設けてもよく、或いは前後対称に一対の収容部を設けてもよい。
【００４５】
また収容部は、着用者の大腿部、膝部及び下腿部のうちの少なくとも一カ所に対応する位置に、前後対称に一対形成されていたが、これに限られず、脚の軸に対して対称に一対の収容部を形成してもよい。例えば、大腿部に関しては、外側大腿部と内側大腿部に対応する位置に一対の収容部を形成することができる。同様に下腿部については、外側下腿部と内側下腿部に対応する位置に一対の収容部を形成することができる。
【００４６】
また前記実施形態においては、内層部１７と外層部１８とを縫合することで収容部１６が形成されていたが、これに代えて、内層部１７を開口した袋状に形成し、該袋状の内層部１７を、該開口が開口部２０に通じるように外層部１８の内側に配置することで収容部を形成してもよい。
【００４７】
また、前記実施形態においては蒸気温熱具１の発熱部２としてシート状の発熱部を用いたが、これに代えて粉体状の発熱部を用いることもできる。粉体状の発熱部は、シート状の発熱部と同様に、被酸化性金属、反応促進剤、電解質及び水を含むものである。但し、シート状の発熱部は、これらの成分の他に繊維状物を含むのに対して、粉体状の発熱部は、繊維状物に代えて保水材を含んでいる。保水剤としては、吸水性ポリマー、バーミキュライト、ケイ酸カルシウム、シリカゲル、アルミナ等が挙げられる。これらの中でも、保持性が高く、また生産性に優れる点から吸水性ポリマーを用いることが好ましい。
【００４８】
また前記実施形態は、本発明の身体装着用具をズボンタイプのトレーニングパンツに適用した例であるが、本発明はこれ以外の身体装着用具にも同様に適用することができる。例えば、肌着用のシャツ、ルーズなサポータ、レッグウオーマー、腹巻き、靴下等にも同様に適用できる。
【実施例】
【００４９】
以下、実施例により本発明を更に詳細に説明する。しかしながら本発明の範囲は、かかる実施例に制限されるものではない。
【００５０】
〔実施例１及び比較例１〕
＜スラリーの配合＞
・被酸化性金属：鉄粉、同和鉄粉鉱業（株）製、商品名「ＲＫＨ」、１５０ｇ
・繊維状物：パルプ繊維（ＮＢＫＰ、スキーナ（株）製、商品名「スキーナ」、平均繊維長さ＝２．１ｍｍ）、３０ｇ
・反応促進剤：活性炭、日本エンバイロケミカルズ（株）製、商品名「カルボラフィン」）、２０ｇ
・凝集剤：カルボキシメチルセルロースナトリウム（第一工業薬品（株）製、商品名「セロゲン」ＷＳ−Ｃ）０．５ｇ、及びポリアミドエピクロロヒドリン樹脂（星光ＰＭＣ（株）製、商品名「ＷＳ４０２０」）０．５ｇ
・水：工業用水、９９８００ｇ
【００５１】
＜抄紙条件＞
前記スラリーを用い、傾斜型短網小型抄紙機によって、ライン速度７ｍ／分で抄紙して湿潤状態の成形シートを作製した。
【００５２】
＜脱水・乾燥条件＞
フェルトで挟持して加圧脱水し、そのまま１２０℃の加熱ロール間にライン速度７ｍ／分で通し、含水率が５重量％以下になるまで乾燥して成形シートを得た。成形シートの組成を、以下の表１に示す。
【００５３】
＜電解質水溶液添加条件＞
得られた成形シートを４枚重ね合わせてから、下記電解質水溶液を、成形シート１００重量部に対して６０重量部含浸させて発熱シートを作製した。発熱シートにおける各成分の配合割合を表１に示す。
【００５４】
＜電解液＞
電解質：精製塩（ＮａＣｌ）
水：工業用水
電解液濃度：５重量％
【００５５】
【表１】
2006348437.tif 000003
【００５６】
＜収容体への収容＞
図１及び図２に示す矩形の収容体３を製造した。透湿性シート３ａとして、ポリエチレン製の透湿性フィルム（（株）興人製のＴＳＦ−ＥＵ：透湿度９００ｇ／ｍ2・２４ｈｒ、通気度１００００秒／１００ｃｍ3）を用いた。難透湿性シート３ｂとして、スパンボンド不織布（ユニチカ（株）製のエルベス、坪量３０ｇ／ｍ2）と非透湿性である低密度ポリエチレンフィルム（坪量３４ｇ／ｍ2）とのラミネート品を用いた。不織布３ｃとして、スパンボンド不織布（ユニチカ（株）製のエルベス、坪量３０ｇ／ｍ2）を用いた。この収容体の中に発熱シートを収容した。これにより、図１及び図２に示す蒸気温熱具を得た。
【００５７】
＜トレーニングパンツへの収容＞
得られた蒸気温熱具を、図３ないし図５に示すトレーニングパンツの収容部（左右の脚部で合計８カ所）に収容した。トレーニングパンツにおける内層部はメッシュ地から構成されていた。一方、外層部は、ポリエステル製の生地であるクライマプルーフ（登録商標）を用いた。この生地は、微量の水蒸気を透過させるが、水は実質的に透過させないものである。
【００５８】
蒸気温熱具が収容されたトレーニングパンツをパネラーに着用させ、５℃の環境下で、前大腿部、後大腿部、後下腿部の皮膚温度を測定した（実施例１）。その結果を図７に示す。また、蒸気温熱具を収容していないトレーニングパンツを着用させて同様の測定を行った（比較例１）。その結果を図８に示す。
【００５９】
〔比較例２〕
実施例１で用いた蒸気温熱具に代えて、乾熱タイプの温熱シート（乾熱シート）を調製し用いた。この乾熱シートは、実施例１と同様に、鉄粉、パルプ繊維、活性炭、凝集剤、水、塩化ナトリウムからなる発熱シートが収容体に収容されてなるものである。収容体は、通気性シートと非透湿性シートの周縁部を接合して、内部に空間を有する袋状に形成したものである。通気性シートとして、日東ライフテック（株）製のＢＲＮ１２６０（商品名）を用いた。非透湿性シートとして、スパンボンド不織布と低密度ポリエチレンフィルムのラミネートを用いた。スパンボンド不織布として、ユニチカ（株）製のエルベス（商品名、坪量３０ｇ／ｍ2）を用いた。低密度ポリエチレンフィルムはその坪量が３４ｇ／ｍ2であった。この乾熱シートはその非透湿性シート面を、ＪＩＳ温度測定機（ＪＩＳ  Ｓ−４１００）で測定した発熱温度が実施例１と同様のものであった。この乾熱シートを、実施例１と同様のトレーニングパンツの収容部に非透湿性シート面が肌側になるように収容し、実施例１と同様の測定を行った。その結果を図９に示す。
【００６０】
図７ないし図９に示す結果から明らかなように、比較例１では皮膚温度が２９℃まで低下し、パネラーの体が冷えて寒さを我慢できない状態になった。これに対し実施例１では皮膚温が３８℃に保たれ、パネラーの体の冷えが防止され、心地よい温かさが付与された。比較例２では、比較例１よりも皮膚温度が高くなったものの、十分に温度が上がらず、温かさを殆ど感じなかった。
【図面の簡単な説明】
【００６１】
【図１】本発明の身体装着用具に収容される蒸気温熱具の一実施形態を示す斜視図である。
【図２】図１に示す蒸気温熱具の縦断面の構造を示す模式図である。
【図３】本発明の身体装着用具の一実施形態を示す平面図である。
【図４】図３に示す身体装着用具の脚部の状態を示す平面図である。
【図５】図４におけるＶ−Ｖ線断面図である。
【図６】本発明の身体装着用具の別の実施形態を示す平面図である。
【図７】実施例１における皮膚温度を示すグラフである。
【図８】比較例１における皮膚温度を示すグラフである。
【図９】比較例２における皮膚温度を示すグラフである。
【符号の説明】
【００６２】
１  発熱具
２  発熱シート
３  収容体
１０  トレーニングパンツ
１１  腰回り部
１２  脚部
１３  ファスナー
１４  前身頃
１５  後見頃
１６  収容部
１７  内層部
１８  外層部
１９  縫合線
２０  開口部
【図１】
2006348437.tif 000004
【図２】
2006348437.tif 000005
【図３】
2006348437.tif 000006
【図４】
2006348437.tif 000007
【図５】
2006348437.tif 000008
【図６】
2006348437.tif 000009
【図７】
2006348437.tif 000010
【図８】
2006348437.tif 000011
【図９】
2006348437.tif 000012